(57)【要約】【課題】カメラ付子器で家の周囲を撮影した映像であっても、撮影された映像内の人物の特徴が分かりやすい監視システムを提供する。【解決手段】監視システムは、撮影手段を具備するカメラ付子器（カメラ子器２及びカメラ付ドアホン子器３からなる）と、カメラ付子器で撮影された映像を表示部１２に表示するドアホン親機１を有する。ドアホン親機１は、カメラ子器２またはカメラ付ドアホン子器３で撮影された動画像を表示部１２に表示させている間に、表示モード切替スイッチ１６の操作に応じて静止画モードに切替えられると、切替時にカメラ子器２またはカメラ付ドアホン子器３で撮影された映像を、ドアホン親機１の表示部１２（表示手段）に静止画像として表示し続ける。【選択図】図１
2010141429.tif 000002
【特許請求の範囲】
【請求項１】
撮像手段を具備して屋外に設置されるカメラ付子器と、
カメラ付子器で撮影された映像を表示するための映像表示手段を具備して宅内に設置される親機とを備え、
前記映像表示手段の表示モードを、カメラ付子器で撮影された動画像を表示する動画モード、又は、静止画像を表示する静止画モードの何れかに切替える表示モード切替手段を親機に設け、
表示モード切替手段により静止画モードに切替えられると、映像表示手段は切替時にカメラ付子器で撮影された映像を静止画像として表示し続けることを特徴とする監視システム。
【請求項２】
前記親機は、静止画モード時において静止画像中の拡大表示領域を指定する拡大領域指定手段を有し、当該拡大領域指定手段により指定された拡大表示領域の静止画像を拡大して映像表示手段に表示させることを特徴とする請求項１記載の監視システム。
【請求項３】
前記カメラ付子器は、前記静止画モード時において前記親機の映像表示手段に表示する静止画像を生成し、当該静止画像を親機に出力することを特徴とする請求項１又は２の何れか一項に記載の監視システム。
【請求項４】
前記カメラ付子器は、映像中に存在する移動体の位置を検出する移動体検出手段を有し、
前記親機は、静止画モード時にて移動体検出手段が検出した位置を拡大して前記映像表示手段に表示させることを特徴とする請求項１〜３の何れか一項に記載の監視システム。
【請求項５】
前記親機は、静止画モード時において、前記移動体検出手段により検出された移動体の位置を示す位置表示を、前記静止画像に重ね合わせて映像表示手段に表示させ、親機に設けられた操作手段を用いて拡大表示操作が行われると、前記位置表示を中心として拡大した静止画像を前記映像表示手段に表示させることを特徴とする請求項４記載の監視システム。
【請求項６】
前記親機は、静止画モード時において、前記移動体検出手段により検出された移動体の位置を示す位置表示を、前記静止画像に重ね合わせて映像表示手段に表示させ、位置表示を表示させてから一定時間が経過するまでの間に親機に設けられた操作手段を用いて拡大表示の取り消し操作が行われない場合は、前記位置表示を中心として拡大した静止画像を前記映像表示手段に表示させることを特徴とする請求項４記載の監視システム。
【請求項７】
前記親機の映像表示手段は、静止画モード時にＰｉｎＰ（Ｐｉｃｔｕｒｅ  ｉｎ  Ｐｉｃｔｕｒｅ）表示を行い、親画面には前記静止画像を表示するとともに、子画面には前記カメラ付子器で撮影された現在の動画像を表示することを特徴とする請求項１〜６の何れか一項に記載の監視システム。
【発明の詳細な説明】
【技術分野】
【０００１】
本発明は、宅外に設置したカメラ付子器からの映像を表示する機能を備えた監視システムに関するものである。
【背景技術】
【０００２】
このような監視システムとして、訪問者（外来者）の顔を確認したり、不在時の訪問者の顔を録画できるなどの利便性から、カメラ付ドアホン子器やカメラ子器を備えたドアホンシステムが普及してきている。
【０００３】
この種のドアホンシステムとしては、例えば特許文献１のようなドアホンシステムが考えられており、宅内に配置されたドアホン親機に、玄関などに設置されたカメラ付ドアホン子器と、住宅の周囲に設置された監視カメラとを接続して、カメラ付ドアホン子器や監視カメラで撮影された映像をドアホン親機に表示することで、訪問者の顔を確認したり住宅の周囲の状況を確認できるようになっている。
【特許文献１】特開２００３−２５０１５１号公報
【発明の開示】
【発明が解決しようとする課題】
【０００４】
しかしながら、上述のドアホンシステムにおいては、カメラ付ドアホン子器で訪問者を撮影した映像をモニタする場合は、被写体となる訪問者は概ね静止状態であり、また、カメラ付ドアホン子器のカメラと訪問者との距離が近いために訪問者の顔の識別は容易であるが、カメラ付ドアホン子器や監視カメラで家の周囲を撮影した映像をモニタする場合では、たとえ訪問者や侵入者などの人物が写っていてもカメラと人物との距離が遠く、また人物が移動している場合が多いために、その人物の顔や体型といった特徴をとらえにくいという問題があった。
【０００５】
本発明は、上記事由に鑑みて為されたものであり、その目的とするところは、撮影された映像内の人物の特徴が分かりやすい監視システムを提供することにある。
【課題を解決するための手段】
【０００６】
上記目的を達成するために、請求項１の発明では、撮像手段を具備して屋外に設置されるカメラ付子器と、カメラ付子器で撮影された映像を表示するための映像表示手段を具備して宅内に設置される親機とを備え、映像表示手段の表示モードを、カメラ付子器で撮影された動画像を表示する動画モード、又は、静止画像を表示する静止画モードの何れかに切替える表示モード切替手段を親機に設け、表示モード切替手段により静止画モードに切替えられると、映像表示手段は切替時にカメラ付子器で撮影された映像を静止画像として表示し続けることを特徴とする。
請求項２の発明では、請求項１の発明において、親機は静止画モード時において静止画像中の拡大表示領域を指定する拡大領域指定手段を有し、当該拡大領域指定手段により指定された拡大表示領域の静止画像を拡大して映像表示手段に表示させることを特徴とする。
【０００７】
請求項３の発明では、請求項１又は２の何れかの発明において、カメラ付子器は静止画モード時において親機の映像表示手段に表示する静止画像を生成し、当該静止画像を親機に出力することを特徴とする。
【０００８】
請求項４の発明では、請求項１〜３の何れか一項の発明において、カメラ付子器は映像中に存在する移動体の位置を検出する移動体検出手段を有し、親機は、静止画モード時にて移動体検出手段が検出した位置を拡大して映像表示手段に表示させることを特徴とする。
【０００９】
請求項５の発明では、請求項４の発明において、親機は静止画モード時において、移動体検出手段により検出された移動体の位置を示す位置表示を、静止画像に重ね合わせて映像表示手段に表示させ、親機に設けられた操作手段を用いて拡大表示操作が行われると、位置表示を中心として拡大した静止画像を映像表示手段に表示させることを特徴とする。
【００１０】
請求項６の発明では、請求項４の発明において、親機は静止画モード時において、移動体検出手段により検出された移動体の位置を示す位置表示を、静止画像に重ね合わせて映像表示手段に表示させ、位置表示を表示させてから一定時間が経過するまでの間に親機に設けられた操作手段を用いて拡大表示の取り消し操作が行われない場合は、位置表示を中心として拡大した静止画像を映像表示手段に表示させることを特徴とする。
【００１１】
請求項７の発明では、請求項１〜６の何れかの発明において、親機の映像表示手段は、静止画モード時にＰｉｎＰ（Ｐｉｃｔｕｒｅ  ｉｎ  Ｐｉｃｔｕｒｅ）表示を行い、親画面には静止画像を表示するとともに、子画面にはカメラ付子器で撮影された現在の動画像を表示することを特徴とする。
【発明の効果】
【００１２】
請求項１の発明によれば、静止画モードに切替えると、表示モードの切替時にカメラ付子器で撮影された静止画像が映像表示手段に表示され続けるので、この静止画像から映像中の人物を確認することができ、人物が動いていても人物の特徴が分かりやすい監視システムを提供することができる。
【００１３】
請求項２の発明によれば、使用者が拡大領域指定手段により指定した拡大表示領域が拡大して表示されるので、人物とカメラ付子器との距離が遠い場合であっても、人物の特徴が分かりやすくなる。
【００１４】
請求項３の発明によれば、カメラ付子器側で静止画像を作成しているので、親機側の処理を少なくすることができる。さらに、拡大表示を行う際にカメラ付子器で拡大領域を拡大した静止画像を作成して親機に出力することで、映像の伝送帯域を増やすことなく、表示画面にあわせた分解能の静止画像を表示することができ、より人物の特徴をとらえやすくできる。
【００１５】
請求項４の発明によれば、移動体検出手段が検出した移動体が自動的に拡大して映像表示手段に表示されるので、カメラ付子器から遠い位置で移動している人物であっても認識しやすくなり、また拡大領域の指定をする必要が無いので使い勝手が向上する。
【００１６】
請求項５の発明によれば、使用者が静止画像中に表示された移動体の位置表示を見て、拡大させたい移動体の場合は、操作手段を用いて拡大表示を行わせることが出来るから、誤った部分を拡大した静止画像が自動的に表示されて必要な部分の映像が見えなくなるのを防止できる。
【００１７】
請求項６の発明によれば、使用者が操作手段を用いて取り消し操作を行えば、拡大表示が行われないので、誤った部分を拡大した静止画像が自動的に表示されて必要な部分の映像が見えなくなるのを防止できる。しかも、移動体の検知が正しく行われた場合には、使用者が取り消し操作を行わなければ一定時間後に拡大表示が行われるので、使い勝手が向上する。
【００１８】
請求項７の発明によれば、静止画像とともに動画像を表示することで、静止画像のみでは認識できない宅外の状況や人物の動作を把握することが可能な監視システムを提供することができる。
【発明を実施するための最良の形態】
【００１９】
（実施の形態１）
本実施の形態にかかる監視システムを採用したドアホンシステムを、図１〜３に基づいて説明する。図１は本実施の形態にかかるドアホンシステムを示すブロック図であり、図２は同ドアホンシステムのドアホン親機の前面を示の概略図であり、図３は同ドアホン親機を使用者が使用した際の処理を示すシーケンス図である。
【００２０】
本実施の形態にかかるドアホンシステムは、宅外に配設され例えば住宅の周囲を撮影するカメラ子器２（２ａ、２ｂ）と、玄関などに設置されドアホン親機１と音声による通話が可能なカメラ付ドアホン子器３と、宅内に配設されカメラ子器２及びカメラ付ドアホン子器３で撮影された映像を表示するドアホン親機１とを備える。なお、本実施の形態においては、ドアホン親機１に２台のカメラ子器と１台のカメラ付ドアホン子器を接続した形態を示しているが、ドアホン親機１に接続できるカメラ付子器（カメラ子器２ａ、２ｂ及びドアホン子器３からなる）の数を制限するものではなく、また、接続できる子器の種別を制限するものではない。
【００２１】
図１に示すように、カメラ子器２（２ａ、２ｂ）は、例えばＣＣＤ（Ｃｈａｒｇｅ  Ｃｏｕｐｌｅｄ  Ｄｅｖｉｃｅ）などの撮像素子からなる撮像部２１と、撮像部２１から入力された１画面分の映像信号を記録部２３に記録させるとともに、撮像部２１又は記録部２３から取り込んだ映像信号を伝送部２４に出力する映像処理部２２と、映像処理部２２によって映像信号を記憶する記録部２３と、信号線Ｌ１を介してドアホン親機１に接続されドアホン親機１と通信信号の授受を行う伝送部２４と、伝送部２４から入力される制御コマンドに応じて映像処理部２２に制御信号を出力する制御コマンド処理部２５とを備える。
【００２２】
撮像部２１は、撮像素子からの出力をデジタル変換して映像データを生成する変換回路を有し、例えば広角レンズなどのレンズを介して撮像素子に入力された映像を、変換回路でデジタル変換して、映像処理部２２に出力する。なお、撮像素子としては、ＣＭＯＳ型の固体撮像素子を用いてもよい。
【００２３】
映像処理部２２、その映像出力モードとして、映像出力を行わない休止モードと、撮像部２１から入力された映像信号を伝送部２４に出力する動画像出力モードと、記録部２３に記録された１画面分の映像信号を伝送部２４に出力する静止画像出力モードとを有し、制御コマンド処理部２５からの制御信号に応じてその映像出力モードを変更する。
【００２４】
制御信号に応じて動画像出力モードに切替えられると、映像処理部２２は撮像部２１から入力される１画面分の映像信号を記録部２３に記録させるとともに、ドアホン親機１が表示可能な分解能に拡大または縮小した映像信号を変調して伝送部２４に出力する。
【００２５】
また、制御信号に応じて静止画像出力モードに切替えられると、映像処理部２２は動画像出力モード時において最後に記録部２３に記録した映像信号を記録部２３から取り出し、ドアホン親機１が表示可能な分解能に拡大または縮小し、さらに変調して伝送部２４に出力する。このとき制御コマンド処理部２５から映像の一部を拡大する制御信号が入力されると、その制御信号内に含まれる静止画像内の位置を示す位置情報に対応した部位を、ドアホン親機１が表示可能な分解能に拡大または縮小し、さらに圧縮および変調して伝送部２４に出力する。
【００２６】
ここで、映像処理部２２は映像信号を拡大または縮小する際には、例えばバイキュービック法などを使用して補正をすれば、撮像部２１の撮影可能な分解能とドアホン親機１が表示可能な分解能が異なる場合であっても、使用者が映像内の人物や物体を認識しやすい映像を表示することができる。
【００２７】
伝送部２４は、ドアホン親機１と伝送線Ｌ１を介して接続されており、映像処理部２２から入力された映像信号や制御コマンドを周波数多重化などの方法で多重化し、信号線Ｌ１を介してドアホン親機１に出力する。また、ドアホン親機１から周波数多重化などの方法で多重化され、伝送線Ｌ１を介して入力された通信信号から音声信号および制御コマンドを分離し、制御コマンドを制御コマンド処理部２５に出力する。ここで、ドアホン親機１には複数の子器が接続されており、通信信号の衝突を回避するために時分割多重伝送方式が採用されているので、伝送部２４はドアホン親機１から制御信号によって予め割り当てられたタイムスロットで通信信号の授受を行う。なお、例えばスピーカー及び音声復調手段をカメラ子器２に設け、通信信号から分離した音声信号を復調し、スピーカーから音声を出力するようにしてもよい。
【００２８】
制御コマンド処理部２５は、伝送部２４から入力された制御コマンドに基づき、映像処理部２２の映像出力モードを変更する制御信号および映像処理部２２が出力する静止画像の一部を拡大して出力させるための制御信号を、映像処理部２２に出力する。
【００２９】
次に、ドアホン親機１について説明を行う。
【００３０】
ドアホン親機１は、カメラ子器２との間で通信信号の授受を行う伝送部１３と、伝送部１３を介して入力される映像信号を復調して表示部１２に出力する映像処理部１１と、映像処理部１１からの映像信号によって静止画像または動画像を表示する表示部１２と、例えば表示部１２の表示内容を変更する操作を行うための操作部１５と、操作部１５からの操作信号に応じてカメラ子器２を制御するための制御コマンドを伝送部１３に出力する制御コマンド処理部１４とを備える。
【００３１】
表示部１２は、図２に示すようにその表示画面がドアホン親機１の前面に露出するように取り付けられており、例えばＴＦＴ（薄膜トランジスタ）素子を用いたアクティブマトリクス駆動方式の液晶パネルからなり、映像処理部１１からの信号に応じて映像を表示する。ここにおいて、映像処理部１１と表示部１２は、映像表示手段を構成している。
【００３２】
ドアホン親機１の前面下側には、表示部１２の下辺に沿って複数個の操作スイッチ１７（１７ａ〜１７ｅ）が並設されている。また、ドアホン親機１の表面には、使用者の操作に応じてカメラ子器２の起動・停止を切替えるカメラ子器呼出スイッチ１８と、使用者の操作に応じて映像処理部１１の表示モードを切り替える表示モード切替手段である表示モード切替スイッチ１６とが取り付けられている。
【００３３】
各スイッチ（表示モード切替スイッチ１６、操作スイッチ１７、カメラ子器呼出スイッチ１８）は操作部１５を構成しており、操作部１５は使用者が各スイッチを操作することで、映像処理部１１の表示モードに応じて、伝送部１４に制御コマンドを出力するとともに、映像処理部１１にＯＳＤ制御信号を出力する。
【００３４】
伝送部１３には、複数のカメラ付子器（カメラ子器２ａ、２ｂ及びカメラ付ドアホン子器３）がそれぞれ信号線Ｌ１〜Ｌ３を介して接続されている。各カメラ付子器との通信には時分割多重伝送方式を用いており、個々のカメラ付子器にはそれぞれタイムスロットを予め割り当てておき、割り当てたタイムスロットで個々のカメラ付子器と通信信号の授受を行う。なお、時分割多重伝送方式については、既知の技術であるので説明を省略する。
【００３５】
また、伝送部１３は、各信号線Ｌを介して入力された個々のカメラ付子器が出力した通信信号から、制御コマンド、音声信号および映像信号を分離する。伝送部１３は、通信信号から分離した制御コマンドを制御コマンド処理部１４に出力し、映像信号を映像処理部１１に出力する。また、通信信号から分離した音声信号は、ドアホン親機１が有する音声処理部（図示せず）に伝送部１３が出力し、音声処理部が音声信号を復調してドアホン親機１のスピーカー（図示せず）から音声を出力させる。
【００３６】
伝送部１３は、制御コマンド処理部１４からの制御コマンドと音声処理部からの音声信号を周波数多重化などの方式によって多重化し、信号線Ｌを介して送信先のカメラ付子器に通信信号として出力する。
【００３７】
制御コマンド処理部１４は、操作部１５から入力される操作信号に応じて、例えばカメラ子器２の映像出力モードを動画像出力モードに切替える制御コマンドを伝送部１３に出力したり、表示部１２にＯＳＤ（Ｏｎ  Ｓｃｒｅｅｎ  Ｄｉｓｐｌａｙ）表示をさせる為のＯＳＤ制御信号を生成し、そのＯＳＤ制御信号を映像処理部１１に出力する。
【００３８】
映像処理部１１は、表示部１２が表示する映像の表示モードとして、表示部１２に静止画像を表示させる静止画モードと、表示部１２に動画像を表示させる動画モードを有しており、制御コマンド処理部１４から入力される制御信号に応じて、表示モードを切り替える。
【００３９】
制御信号に応じて動画モードに切替えられると、映像処理部１１は、伝送部１３を介して入力されるカメラ子器２からの映像信号を復調して表示部１２で表示可能な映像信号に変換した後、表示部１２に出力して表示部１２に動画像を表示させる。
【００４０】
また、制御信号に応じて静止画モードに切替えられると、映像処理部１１は、カメラ子器２から送信された１画面分の映像信号を復調して表示部１２で表示可能な映像信号に変換する。また、制御コマンド処理部１４からのＯＳＤ制御信号に基づいてＯＳＤ表示データ生成し、映像信号にスーパーインポーズして表示部１２に出力して、表示部１２にＯＳＤ表示された静止画像を表示させる。
【００４１】
ここで、ＯＳＤ表示データとしては、表示部１２の下部であって上述した操作スイッチ１７ａ〜１７ｅの近傍に、例えば「←」「拡大」などの図形や文字を表示して各操作スイッチ１７の操作内容を示す操作表示３２（３２ａ〜３２ｅ）と、静止画像内で拡大して表示させたい領域を示す拡大領域枠表示３１とがある（図２（ａ）、（ｂ）参照）。これらのＯＳＤ表示は、制御コマンド処理部１４からのＯＳＤ制御信号に応じて拡大領域枠表示３１の表示位置が変更され、また、各操作表示３２（３２ａ〜３２ｅ）に表示される図形や文字が変更される。
【００４２】
ここで、ドアホン親機１とカメラ子器２の動作について、使用者がカメラ子器２の映像をドアホン親機１で確認する方法に関して、図３〜図５に示すシーケンス図に基づいて説明する。
【００４３】
ドアホン親機１及びカメラ子器２はその初期状態として、カメラ子器２の映像処理部２２の映像出力モードは休止モードであり、ドアホン親機１の表示部１２には映像が表示されていない。
【００４４】
まず、ドアホン親機１が動画モードでの動作について、図３に基づいて説明する。
【００４５】
使用者がドアホン親機１の操作部１５であるカメラ子器呼出スイッチ１８を操作すると、制御コマンド処理部１４に操作信号が入力される（ステップＳ１）。制御コマンド処理部１４は、入力された操作信号に基づいてカメラ子器２を起動する制御コマンドＣ１を生成して伝送部１３に出力するとともに（ステップＳ２）、映像処理部１１を介して表示部１２の電源をＯＮにする（ステップＳ３）。伝送部１３は、制御コマンドＣ１を周波数多重化により多重化して通信信号を生成し、信号線Ｌ１を介してカメラ子器２の伝送部２４に出力する（ステップＳ４）。
【００４６】
カメラ子器２の伝送部２４は、入力された通信信号から制御コマンドＣ１を取り出し（ステップＳ５）、制御コマンド処理部２５に出力する（ステップＳ６）。制御コマンド処理部２５は、映像処理部２２を動画像出力モードに変更する制御信号を出力し（ステップＳ７）、映像処理部２２の映像出力モードを休止モードから動画像出力モードに切替える。
【００４７】
その後、カメラ子器２の撮像部２１が撮影した映像信号を映像処理部２２に出力すると、映像処理部２２は映像信号を記録部２３に記録させるとともに（ステップＳ８）、表示部１２の分解能にあわせて拡大・縮小した映像を作成し（ステップＳ９）、この映像信号を変調した後、伝送部２４に映像信号を出力する（ステップＳ１０）。伝送部２４は、映像信号を周波数多重化により多重化して通信信号を生成し、信号線Ｌ１を介してドアホン親機１の伝送部１３に出力する（ステップＳ１１）。
【００４８】
ドアホン親機１の伝送部１３は、入力された通信信号から映像信号を取り出し、映像処理部１１に出力する（ステップＳ１２）。映像処理部１１は入力された映像信号を復調して表示部１２に表示させている（ステップＳ１３）。このようにして、ドアホン親機１の表示部１２に、カメラ子器２の撮像部２１で撮影された映像が表示される。
【００４９】
そして、ステップＳ８〜ステップＳ１３は、所定の時間間隔で繰り返し行われ、カメラ子器２の撮像部２１で撮像された映像がドアホン親機１の表示部１２に連続的に表示されることで、動画像を表示部１２に表示することが出来る。ここで、映像処理部２２は、ステップＳ１０で出力する映像信号を直前に出力した映像信号との差分情報とすることで、出力する映像信号のデータ量を削減することができる。
【００５０】
次に、ドアホン親機１が静止画モード時における処理を、図４に基づいて説明する。
【００５１】
使用者がドアホン親機１の表示モード切替スイッチ１６を操作して静止画モードを選択すると（ステップＳ１４）、操作部１５から制御コマンド処理部１４に操作信号が入力される（ステップＳ１５）。
【００５２】
制御コマンド処理部１４は、映像処理部１１に表示部１２をＯＳＤ表示させるためのＯＳＤ制御信号を出力する（ステップＳ１６）とともに、カメラ子器２に静止画像を出力させる命令を含む制御コマンドＣ２を、伝送部１３に出力する（ステップＳ１７）。ここで、ＯＳＤ制御信号には、各操作表示３２（３２ａ〜３２ｅ）にそれぞれ「←」「→」「↑」「↓」「拡大」と表示し、拡大領域枠表示３１を初期位置として例えば表示部１２の左上側に表示させる情報が含まれている（図２（ｂ）参照）。
【００５３】
次に、伝送部１３は制御コマンド処理部１４から入力された制御コマンドＣ２を、周波数多重化してカメラ子器２の伝送部２４に出力し（ステップＳ１８）、カメラ子器２の伝送部２４が通信信号から制御コマンドＣ２を取り出して制御コマンド処理部２５に出力する（ステップＳ１９）。制御コマンド処理部２５は、映像処理部２２の映像出力モードを静止画像出力モードに変更する制御信号を出力する（ステップＳ２０）。
【００５４】
これにより、映像処理部２２は静止画像出力モードに変更され、映像処理部２２は記録部２３に記録されている１画面分の映像信号を取り出し、ドアホン子器１の表示部１２が有する分解能に拡大・縮小し（ステップＳ２１）、さらに変調を行った後、伝送部２４に映像信号を出力する（ステップＳ２２）。伝送部２４は映像信号を周波数多重化により多重化し、信号線Ｌ１を介してドアホン親機１の伝送部１３に出力する（ステップＳ２３）
ドアホン親機１の伝送部１３は、入力された通信信号から映像信号を取り出し、映像処理部１１に出力する（ステップＳ２４）。映像処理部１１は入力された映像信号を復調するとともに、ステップＳ１６で入力されたＯＳＤ制御信号からＯＳＤ表示データを生成する（ステップＳ２５）。さらに映像処理部１１は、復調した映像信号にＯＳＤ表示データをスーパーインポーズして（ステップＳ２６）、表示部１２に出力する（ステップＳ２７）。このようにして、表示部１２には、静止画モードに移行する直前にカメラ子器２が撮影した映像を連続的に表示するとともに、拡大領域枠表示３１と各操作表示３２を表示している。このとき、操作スイッチ１７ａ〜１７ｅは、それぞれ各操作表示３２の「←」「→」「↑」「↓」「拡大」に対応している。
【００５５】
次に、使用者が操作スイッチ１７を操作した場合に動作について、操作スイッチ１７ｂ及び１７ｅを例に、図５に基づいて説明する。
【００５６】
使用者が操作スイッチ１７ｂ（操作表示３２ｂ「→」に対応）を操作すると、操作部１５は拡大領域枠表示３１を右方向に移動させる操作信号を制御コマンド処理部１４に出力する（ステップＳ２８）。制御コマンド処理部１４は、拡大領域枠表示３１を右方向に所定量移動したＯＳＤ制御信号を映像処理部１１に出力し（ステップＳ２９）、映像処理部１１がＯＳＤ制御信号からＯＳＤ表示データを生成して伝送部１３から入力される映像信号にスーパーインポーズして表示部１２に出力することで（ステップＳ３０）、表示部１２に表示される拡大領域枠表示３１を右方向に所定量移動される。なお、操作スイッチ１７ａ、１７ｃ、１７ｄを操作すると、同様の処理が行われて、拡大領域枠表示３１がそれぞれ左方向、上方向、下方向に移動して表示される。
【００５７】
また、使用者が操作スイッチ１７ｅ（操作表示３２ｅ「拡大」に対応）を操作すると、操作部１５は静止画像を拡大させる制御信号を制御コマンド処理部１４に出力する（ステップＳ３１）。制御コマンド処理部１４は、拡大領域枠表示３１を取り除いたＯＳＤ制御信号を映像処理部１１に出力するとともに（ステップＳ３２）、カメラ子器２に拡大した静止画像を出力させる命令を含む制御コマンドＣ３を伝送部１３に出力する（ステップＳ３３）。制御コマンドＣ３は、ステップＳ１８、Ｓ１９と同様にしてカメラ子器２の制御コマンド処理部２５に出力される（ステップＳ３４、Ｓ３５）。次に、制御コマンド処理部２５は、静止画像のうち制御コマンドＣ３に含まれる拡大領域を拡大する制御信号を映像処理部２２に出力する（ステップＳ３６）。
【００５８】
これにより、カメラ子器２の映像処理部２２は、記録部２３に記録されている１画面分の映像信号を取り出し、ステップＳ３６で指定された拡大領域をドアホン子器１の表示部１２が有する分解能に拡大・縮小した映像信号を生成する（ステップＳ３７）。ここでこの映像信号は、ステップＳ２２〜ステップＳ２７と同様の処理が行われ、ドアホン親機１の表示部１２に出力される（ステップＳ３８〜Ｓ４３）。
【００５９】
このようにして、使用者の操作に応じて静止画像を表示することができ、また、静止画像内の任意の場所を拡大して表示することができるので、人物とカメラ子器２との距離が遠く、また、人物が動いている場合であっても、人物の特徴が分かりやすいドアホンシステムを提供することができる。
【００６０】
また、カメラ子器２側で映像をドアホン親機１の表示部１２が備える分解能にあわせて拡大・縮小しているため、ドアホン親機１とカメラ子器２との間の伝送帯域を増やすことなく、より映像内の人物の特長が分かりやすい映像を表示することが出来る。
【００６１】
なお、図２（ｃ）に示すように、静止画モード時において表示部１２には、上述のようにカメラ子器２の記録部２３に記録されている１画面分の映像信号に基づいた静止画像を親画面とし、カメラ子器２の撮像部２１からの映像信号に基づいた動画像を子画面としたＰｉｎＰ表示３４を行ってもよい。静止画モードに切替えた以降の宅外の状況や人物の動作を把握することが可能となる。
【００６２】
（実施の形態２）
図６に示すとおり、カメラ子器２は、移動体を検知してその移動体の座標情報を含む制御コマンドを制御コマンド処理部２５に出力する移動体検出部２６を備える。また、カメラ子器２の映像処理手段２２は、少なくとも２画面分の映像信号に基づいてＰｉｎＰ映像を生成することができる。この点を除いては、実施の形態１と同様の構成であるので共通する構成要素には同一の符号を付してその説明は省略する。
【００６３】
移動体検出手段２６は、例えば映像処理部２２を介して撮像部２１が撮影した映像信号を所定の時間間隔で取り込み、前後の映像と比較することでその差異部分から移動体を検出し、映像内の座標情報を制御コマンドに変換して制御コマンド処理部２５に出力する。なお、移動体の検知には、熱線式や赤外線式の人体検知器を用いてその検知出力から、映像信号内の座標を検知するようなものでもよい。
【００６４】
映像処理部２２は、制御信号に応じて静止画像出力モードに切替えられると、動画像出力モード時において最後に記録部２３に記録した映像信号を記録部２３から取り出し、ドアホン親機１が表示可能な分解能に拡大または縮小し、さらに変調して伝送部２４に出力する。このとき制御コマンド処理部２５から映像の一部を拡大する制御信号が入力されると、記録部２３から取り出した１画面分の映像のうち、その制御信号内に含まれる位置情報に対応した部位を親画面とし、また、撮像部２１から入力される１画面分の映像を子画面として、ＰｉｎＰ表示を行った映像を生成する。その映像信号をドアホン親機１が表示可能な分解能に拡大または縮小し、さらに変調して伝送部２４を介してドアホン親機１に出力する。
【００６５】
一方、ドアホン親機１の制御コマンド処理部２４には、ドアホン親機１の伝送部１３を介してカメラ子器２の移動体検出部２６が検知した座標情報を含む制御コマンドが入力される。
【００６６】
制御コマンド処理部２４は、入力された制御コマンドに応じて、映像処理部１１が静止画モードで、且つ拡大表示を行っていなければ、移動体の領域を示す移動体表示３３と（図７（ａ）参照）、「拡大」などの文字列を含む操作表示３２ｅを表示部１２に表示させる為のＯＳＤ制御信号を映像処理部１１に出力する。映像処理部１１は伝送部１３を介して入力される映像信号に、ＯＳＤ制御信号に基づいて生成したＯＳＤ表示をスーパーインポーズして表示するので、表示モードが静止画モードに切替えられると、表示部１２には静止画モードに切替えられた時点でのカメラ子器２で撮影された映像に、移動体を示す移動体表示３３が重ねて表示される。
【００６７】
ここで、使用者が操作スイッチ１７ｅを操作すると、操作部１５は制御コマンド処理部１４に操作信号を出力する。操作信号に応じて制御コマンド処理部１４は、カメラ子器２の移動体検出部２６からの座標情報に基づいて、表示部１２に拡大して表示させる静止画像の拡大領域の情報を含む制御コマンドを、伝送部１３を介してカメラ子器２に出力する。カメラ子器２は、上述のとおり、この制御コマンドの入力に応じて、記録部２３の映像信号と撮像部２１の映像信号がＰｉｎＰ表示され、その映像信号がドアホン親機１に出力されるので、ドアホン親機１の表示部１２には、図７（ｂ）に示すように、静止画像を親画面とし動画像を子画面とした映像が表示される。なお、表示部１２には、操作スイッチ１７ｅの近傍に、操作スイッチ１７ｅの機能を示す「戻る」との文字が表示されており、操作スイッチ１７ｅを操作すると、元の表示に切替えられる。
【００６８】
このようにして、表示部１２には静止画像に重ねて移動体表示３３が表示されるので、拡大領域を調整することなく移動体を拡大して表示できる。また、ＰｉｎＰ表示によって静止画モードに切替えた以降の宅外の様子が、動画像として表示されるので、宅外の状況や人物の動作を把握することが可能となる。
【００６９】
なお、本実施の形態では、動画像モードから静止画モードに切替えられた後、操作スイッチ１７ｅにより拡大操作を行うことで、移動体の検出領域の静止画像を拡大しているが、静止画モードに切替えられた後操作スイッチ１７ｅによるキャンセル操作が、一定時間行われない場合に移動体の検出領域を拡大表示するようにしてもよい。このようにすることで、より使い勝手が向上する。なお、この場合には操作表示３２ｅには「キャンセル」などの文字を表示する。
【００７０】
また、本実施の形態では、静止画モード時において移動体の検出領域を拡大表示すると、ＰｉｎＰ表示によって動画像を表示しているが、静止画モードにおいて常にＰｉｎＰ表示で動画像を表示するようにしてもよく、また、動画像をＰｉｎＰ表示しなくてもよい。
【００７１】
ところで、これら上述した実施の形態においては、カメラ子器２の映像を表示させる形態について説明したが、ドアホン子器３の映像を表示させる場合について適用してもよいことは言うまでもない。
【図面の簡単な説明】
【００７２】
【図１】実施の形態１にかかるドアホンシステムを示すブロック図である。
【図２】（ａ）は同ドアホンシステムのドアホン親機の静止画モード時を示す概略図であり、（ｂ）は同ドアホン親機が静止画モードで拡大表示を行った時を示す概略図であり、（ｃ）同ドアホン親機が静止画モードで拡大表示を行った時の別の例を示す概略図である。
【図３】同ドアホン親機を使用者が使用する例を示すシーケンス図である。
【図４】同ドアホン親機を使用者が使用する例を示すシーケンス図である。
【図５】同ドアホン親機を使用者が使用する例を示すシーケンス図である。
【図６】実施の形態２にかかるドアホンシステムを示すブロック図である。
【図７】（ａ）は同ドアホンシステムのドアホン親機の静止画モード時を示す概略図であり、（ｂ）は同ドアホン親機が静止画モードで拡大表示を行った時を示す概略図である。
【符号の説明】
【００７３】
１      ドアホン親機（親機）
１１    映像処理部（映像表示手段）
１２    表示部（映像表示手段）
１６    表示モード切替スイッチ（表示モード切替手段）
２（２ａ、２ｂ）  カメラ子器（カメラ付子器）
２１    撮像部（撮影手段）
３      カメラ付ドアホン子器（カメラ付子器）
【図１】
2010141429.tif 000003
【図２】
2010141429.tif 000004
【図３】
2010141429.tif 000005
【図４】
2010141429.tif 000006
【図５】
2010141429.tif 000007
【図６】
2010141429.tif 000008
【図７】
2010141429.tif 000009